(57)【要約】【課題】相変化材料を効率的に溶解させることで、蓄熱効率を高めた蓄熱器及びそれを備える温水製造装置を提供する。【解決手段】内部に相変化材料Ｍを収容する相変化材料用容器ＣＭと、加熱ヒータ部Ｈ１と、ポンプ部Ｐと、を備え、加熱ヒータ部Ｈ１は、相変化材料用容器ＣＭの外周面に設けられ、ポンプ部Ｐは、駆動源が設けられたポンプ本体Ｐ１と、ポンプ本体Ｐ１に接続され相変化材料Ｍの吸引を行う吸引口Ｐ２と、ポンプ本体Ｐ１に接続され相変化材料Ｍの吐出を行う吐出口Ｐ３と、を有し、相変化材料Ｍは、ポンプ部Ｐの外周面に当接していることを特徴とする。【選択図】図１
2020056534.tif 000002
【特許請求の範囲】
【請求項１】
内部に相変化材料を収容する相変化材料用容器と、加熱ヒータ部と、ポンプ部と、を備え、
前記加熱ヒータ部は、前記相変化材料用容器の外周面に設けられ、
前記ポンプ部は、駆動源が設けられたポンプ本体と、前記ポンプ本体に接続され前記相変化材料の吸引を行う吸引口と、前記ポンプ本体に接続され前記相変化材料の吐出を行う吐出口と、を有し、
前記相変化材料は、前記ポンプ部の外周面に当接していることを特徴とする蓄熱器。
【請求項２】
前記吸引口は、前記相変化材料用容器の底面寄りに設けられていることを特徴とする、請求項１に記載の蓄熱器。
【請求項３】
請求項１又は２に記載の蓄熱器と、内部に水を収容する貯水器と、前記水の輸送を行う配管部と、を備える温水製造装置であって、
前記配管部は、前記相変化材料用容器と前記貯水器の内部に配置され、
前記相変化材料は、前記配管部の外周面に当接していることを特徴とする温水製造装置。
【請求項４】
前記相変化材料用容器と前記貯水器とが、隣接して設けられていることを特徴とする、請求項３に記載の温水製造装置。
【請求項５】
前記配管部は、前記ポンプ部の外周を囲うように配置されていることを特徴とする、請求項３又は４に記載の温水製造装置。
【発明の詳細な説明】
【技術分野】
【０００１】
本発明は、相変化材料を用いた蓄熱器及びそれを備える温水製造装置に係るものである。
【背景技術】
【０００２】
従来から、温水を製造するために、熱源として、廃熱や余熱、地熱、太陽光熱、火力、電熱等を利用した温水製造装置が用いられてきた。
【０００３】
上述した温水製造装置では、温水を製造するために、配管や温水容器を直接熱源により加熱する方式が採用されてきた。このため、熱源の電源を切った場合、放熱により、温水製造装置内部の温度が低下してしまう、という問題があった。
【０００４】
近年、このような問題点を解決するために、蓄熱材料としてＰＣＭ（Ｐｈａｓｅ  Ｃｈａｎｇｅ  Ｍａｔｅｒｉａｌ）と呼ばれる相変化材料を用いた、温水製造用の蓄熱装置の開発が進んでいる。
【０００５】
相変化材料は、固相と液相との間の相変化の過程で生じる熱の吸収・放出を利用して、熱エネルギーを蓄える材料である。即ち、相変化材料は、周囲の温度により、繰り返し熱を吸収・放出でき、蓄熱することにより融解すると液体に変化し、放熱することにより融点以下になると固体に変化する。
【０００６】
例えば、特許文献１には、相変化材料を含んだ蓄熱材料を利用した蓄熱装置が記載されている。
この蓄熱装置は、筐体と、筐体の内部に収容された蓄熱材料と、熱媒体が流通すると共に筐体を貫くように配置された流路配管と、蓄熱材料を筐体の内部および外部の間で移送させる移送装置と、を備えている。また、移送装置は、蓄熱材料の融点近傍の温度においては、蓄熱材料に含まれる黒鉛粒子およびＳｉＣ粒子を筐体の外部で捕集する。
このような構成により、日照量の変化のような天候変化が生じても、太陽熱発電システムの電圧変動、周波数変動の如き事象を抑制することが可能なため、安定した熱エネルギーの供給が可能となる。
【先行技術文献】
【特許文献】
【０００７】
【特許文献１】特開２０１７−４８２６５号公報
【発明の概要】
【発明が解決しようとする課題】
【０００８】
ここで、相変化材料は、蓄熱性に優れている一方、熱伝導率が低いという性質を持つ。このため、相変化材料を収容する筺体が大型化すると、相変化材料の中央部が完全に溶解するまでに、長い時間を要することとなる。
【０００９】
また、例えば、蓄熱装置の電源を切り、長時間放置した場合、筐体の内部の温度が低下することで、相変化材料全体が固体となってしまう。よって、蓄熱装置を再稼働させてから相変化材料を再溶解させるために、再度長い時間を要することとなる。
【００１０】
本発明は上記のような実状に鑑みてなされたものであり、相変化材料を効率的に溶解させることで、蓄熱効率を高めた蓄熱器及びそれを備える温水製造装置を提供することを課題とする。
【課題を解決するための手段】
【００１１】
上記課題を解決するために、本発明は、内部に相変化材料を収容する相変化材料用容器と、加熱ヒータ部と、ポンプ部と、を備え、
前記加熱ヒータ部は、前記相変化材料用容器の外周面に設けられ、
前記ポンプ部は、駆動源が設けられたポンプ本体と、前記ポンプ本体に接続され前記相変化材料の吸引を行う吸引口と、前記ポンプ本体に接続され前記相変化材料の吐出を行う吐出口と、を有し、
前記相変化材料は、前記ポンプ部の外周面に当接していることを特徴とする。
【００１２】
本発明によれば、相変化材料が、ポンプ部の外周面に当接していることで、ポンプ部が、加熱ヒータ部により加熱され溶解した相変化材料を、吸引し吐出することが可能となる。そして、吐出された相変化材料が、未溶解の相変化材料に当接し、未溶解の相変化材料が溶解する。即ち、溶解した相変化材料と未溶解の相変化材料との熱交換面積が増大することで、相変化材料全体を効率的に溶解させることが可能となる。
【００１３】
本発明の好ましい形態では、前記吸引口は、前記相変化材料用容器の底面寄りに設けられていることを特徴とする。
【００１４】
加熱され溶解した相変化材料は、重力により底部に溜まっていくため、このような構成とすることで、吸引口に吸引される溶解した相変化材料の分量が多くなり、相変化材料全体の溶解効率が向上する。
【００１５】
また、本発明は、前記蓄熱器と、内部に水を収容する貯水器と、前記水の輸送を行う配管部と、を備える温水製造装置を提供するものであって、
前記配管部は、前記相変化材料用容器と前記貯水器の内部に配置され、
前記相変化材料は、前記配管部の外周面に当接していることを特徴とする。
【００１６】
このような構成とすることで、配管部を通過する水が、溶解した相変化材料により加熱されるため、効率的に温水を製造することが可能となる。
【００１７】
本発明の好ましい形態では、前記相変化材料用容器と前記貯水器とが、隣接して設けられていることを特徴とする。
【００１８】
このような構成とすることで、相変化材料用容器と貯水器とが、互いに熱交換を行い、貯水器内部の高い保温性を維持することが可能となる。
【００１９】
本発明の好ましい形態では、前記配管部は、前記ポンプ部の外周を囲うように配置されていることを特徴とする。
【００２０】
このような構成とすることで、配管部を通過する温水により、ポンプ部内部の未溶解の相変化材料を溶解させ、ポンプ部の駆動源を早期に駆動させることができ、ポンプ部の吸引・吐出動作をスムーズに開始することが可能となる。
【発明の効果】
【００２１】
本発明によれば、相変化材料を効率的に溶解させることで、蓄熱効率を高めた蓄熱器及びそれを備える温水製造装置を提供することができる。
【図面の簡単な説明】
【００２２】
【図１】本発明の実施形態に係る蓄熱器を示す図であって、（ａ）概略斜視図、（ｂ）内部構造図である。
【図２】本発明の実施形態に係る蓄熱器における内容器を示す図であって、（ａ）概略斜視図、（ｂ）底面図である。
【図３】本発明の実施形態に係る蓄熱器におけるポンプ部を示す概略斜視図である。
【図４】本発明の実施形態に係る蓄熱器の内部構造図であって、相変化材料が溶解していく過程を示す図である。
【図５】本発明の実施形態に係る温水製造装置の概略斜視図である。
【図６】本発明の実施形態に係る温水製造装置の内部構造図である。
【発明を実施するための形態】
【００２３】
以下、図１〜図６を用いて、本発明の実施形態に係る蓄熱器及びそれを備える温水製造装置について説明する。
なお、以下に示す実施形態は本発明の一例であり、本発明を以下の実施形態に限定するものではない。また、これらの図において、符号１は、本実施形態の蓄熱器を示し、符号Ａは、本実施形態の温水製造装置を示す。
【００２４】
図１に示すように、蓄熱器１は、相変化材料Ｍが収容された相変化材料用容器ＣＭと、加熱ヒータ部Ｈ１と、ポンプ部Ｐと、を備えている。
なお、相変化材料Ｍは、その蓄熱温度によって、固体状の未溶解相変化材料ＭＳと液体状の溶解相変化材料ＭＬの、２つの状態を有する。
【００２５】
図１（ａ）に示すように、相変化材料用容器ＣＭは、略直方体状であり有底筒状の容器本体ＣＭ１と、容器本体ＣＭ１を上方から覆う蓋体ＣＭ２と、により構成されている。また、蓋体ＣＭ２には、加熱ヒータ部Ｈ１に対するＯＮ・ＯＦＦ制御やポンプ部Ｐに対する動作制御を行う制御部Ｘが設けられている。
ここで、蓄熱器１の使用者は、溶解相変化材料ＭＬの蓄熱温度を、制御部Ｘにより予め自由に設定することができ、加熱ヒータ部Ｈ１は、ＯＮの状態となると、相変化材料Ｍを溶解し、この設定された温度まで溶解相変化材料ＭＬを加熱する。そして、溶解相変化材料ＭＬが設定された温度に達すると、加熱ヒータ部Ｈ１は、ＯＦＦの状態となる。なお、相変化材料Ｍの内部には、設定された温度を検出するための温度検出器（図示せず）が設けられており、制御部Ｘと電気的に接続されている。
【００２６】
図１（ｂ）に示すように、容器本体ＣＭ１は、二重構造となっており、外側に形成された外容器ＣＭ１１と、内側に形成され、未溶解相変化材料ＭＳが収容される内容器ＣＭ１２とが、その間隙に空間ＲＭを形成するようにして、それぞれの開口端を一体とすることで、構成されている。そして、空間ＲＭには、水Ｗを収納することもできる。
【００２７】
加熱ヒータ部Ｈ１は、コード状に形成されており、内容器ＣＭ１２の外周面に設けられている。そして、加熱ヒータ部Ｈ１は、その一端が、容器本体ＣＭ１及び蓋体ＣＭ２に設けられた挿通孔ｐに挿通され、制御部Ｘに電気的に接続されている。
なお、加熱ヒータ部Ｈは、必ずしもコード状である必要はなく、板状等のものを用いても良い。
【００２８】
ポンプ部Ｐは、内容器ＣＭ１２の底面に載置されており、未溶解相変化材料ＭＳの内部に埋め込まれている。即ち、未溶解相変化材料ＭＳは、ポンプ部Ｐの外周面に当接している構成となっている。
【００２９】
なお、図１（ｂ）において、未溶解相変化材料ＭＳ、相変化材料用容器ＣＭ及び相変化材料用容器ＣＭの外周面に当接する加熱ヒータ部Ｈ１を断面で示している。
【００３０】
図２（ａ）に示すように、加熱ヒータ部Ｈ１は、内容器ＣＭ１２の側面及び底面に設けられている。
詳述すれば、加熱ヒータ部Ｈ１は、内容器ＣＭ１２の側面において、螺旋状に巻き回されており、底面において、蛇状に這わせて接着させることで設けられている。
なお、加熱ヒータ部Ｈ１の底面に対する接着手段は、アルミテープ等の接着部材や公知の接着剤を用いることができる。また、側面に巻き回された加熱ヒータ部Ｈ１も、アルミテープ等の接着部材や公知の接着剤により、接着させておくことが好ましい。さらに、加熱ヒータ部Ｈは、内容器ＣＭ１２の外周面に複数本設けられていても良い。
【００３１】
図３に示すように、ポンプ部Ｐは、全体が耐熱性を有する素材で形成されており、駆動源（図示せず）が設けられたポンプ本体Ｐ１と、ポンプ本体Ｐ１に接続され溶解相変化材料ＭＬの吸引を行う吸引口Ｐ２と、ポンプ本体Ｐ１から相変化材料の吐出を行う吐出口Ｐ３と、ポンプ本体Ｐ１が載置される基台Ｐ４と、を有している。
なお、駆動源としては、ＤＣ２４ＶやＤＣ１２Ｖのモータ等が挙げられる。
【００３２】
詳述すれば、ポンプ部Ｐは、吸引口Ｐ２に連通する吸引路Ｒｉが形成された、略円筒状の吸引管Ｐｉを有している。
なお、図３において、吸引路Ｒｉの隠れ線は、点線で示している。
【００３３】
また、ポンプ部Ｐは、基台Ｐ４の四隅に設けられた取付孔ｚにボルト等固定具（図示せず）が挿通され、この固定具を介して内容器ＣＭ１２の底面に固定されている。さらに、ポンプ部Ｐは、ポンプ本体Ｐ１から延びる接続線（図示せず）により、制御部Ｘに電気的に接続されている。
【００３４】
以下、図４を用いて、未溶解相変化材料ＭＳが溶解していく過程を説明する。
【００３５】
まず、蓄熱器１の使用者は、制御部Ｘを操作することにより、加熱ヒータ部Ｈ１の温度を上昇させる。
【００３６】
これにより、図４（ａ）に示すように、内容器ＣＭ１２の内周面に当接している未溶解相変化材料ＭＳが、内容器ＣＭ１２を介して加熱ヒータ部Ｈ１で加熱され溶解し、溶解相変化材料ＭＬとなる。
【００３７】
そして、内容器ＣＭ１２の側面近傍に存在する溶解相変化材料ＭＬが重力により底部に溜まっていくことで、溶解相変化材料ＭＬの嵩が、吸引口Ｐ２の位置に達する。
【００３８】
そして、蓄熱器１の使用者は、制御部Ｘを操作することにより、ポンプ本体Ｐ１を作動させ、ポンプ部Ｐによる吸引・吐出動作を開始させることで、ポンプ部Ｐによる、溶解相変化材料ＭＬの吸引が行われる（矢印ａ）。
【００３９】
次に、図４（ｂ）に示すように、吸引された溶解相変化材料ＭＬが、吐出口Ｐ３より吐出される（矢印ｂ）。これにより、吐出口Ｐ３に当接する未溶解相変化材料ＭＳが、溶解相変化材料ＭＬと熱交換を行うことで溶解し、溶解相変化材料ＭＬとなる。
【００４０】
このように、加熱ヒータ部Ｈ１を用いた外部からの溶解及びポンプ部Ｐを用いた内部からの溶解により、図４（ｃ）に示すように、効率的に未溶解相変化材料ＭＳ全体を溶解相変化材料ＭＬとすることができる。
【００４１】
以下、図５及び図６を用いて、蓄熱器１を備えた温水製造装置Ａについて説明する。
なお、図６において、相変化材料Ｍ、相変化材料用容器ＣＭ、温水用容器ＣＷ、筺体Ｅ及び相変化材料用容器ＣＭの外周面と温水用容器ＣＷの外周面とに当接している加熱ヒータ部Ｈ１及びＨ２を断面で示している。また、図６において、相変化材料Ｍは、溶解相変化材料ＭＬの状態として示している。
【００４２】
図５及び図６に示すように、温水製造装置Ａは、蓄熱器１と、内部に水Ｗを収容する貯水器２と、水Ｗの吸引、輸送及び吐出を行う配管部３と、これらを収容する筺体Ｅと、を備えている。
なお、説明の便宜上、図５において、筺体Ｅは省略している。
【００４３】
貯水器２は、内部に水Ｗが収容された温水用容器ＣＷと、加熱ヒータ部Ｈ２と、を有している。
【００４４】
温水用容器ＣＷは、相変化材料用容器ＣＭと同様に、略直方体状であり有底筒状の容器本体ＣＷ１と、容器本体ＣＷ１を上方から覆う蓋体ＣＷ２と、により構成されている。
また、容器本体ＣＷ１は、容器本体ＣM１と同様に、二重構造となっており、外側に形成された外容器ＣＷ１１と、内側に形成され、水Ｗが収容される内容器ＣＷ１２とが、その間隙に空間ＲＷを形成するようにして、それぞれの開口端を一体とすることで、構成されている。
【００４５】
貯水器２が有する加熱ヒータ部Ｈ２は、蓄熱器１が有する加熱ヒータ部Ｈ２と同様に、コード状に形成されており、内容器ＣＷ１２の側面において、螺旋状に巻き回されており、底面において、蛇状に這わせて接着させることで設けられている。
【００４６】
相変化材料用容器ＣＭ及び貯水器２は、隣接して設けられており、配管部３は、それぞれの蓋体ＣＭ２及び蓋体ＣＷ２を貫通して、内容器ＣＭ１２及び内容器ＣＷ１２の内部に配置されている。
【００４７】
詳述すれば、配管部３は、内容器ＣＭ１２の内部において略蛇状に湾曲して配置される第一配管３１と、内容器ＣＭ１２の内部において側面及び底面に沿って、かつポンプ部Ｐの周囲を囲うように湾曲して配置される第二配管３２と、内容器ＣＷ１２の内部にのみ配置される第三配管３３と、により構成されている。
なお、配管の本数は３つに限られず、何本であっても良い。
【００４８】
内容器ＣＭ１２の内部に配置された第一配管３１及び第二配管３２の外周面には、溶解相変化材料ＭＬが当接している構成となっている。
【００４９】
各配管３１、３２及び３３には、内容器ＣＷ１２に収容された水Ｗや外部から供給された水Ｗを吸引するための配管用ポンプ３１Ｐ、３２Ｐ及び３３Ｐが設けられている。
なお、配管用ポンプ３１Ｐ、３２Ｐ及び３３Ｐは、ポンプ部Ｐと同様に駆動源が設けられており、それぞれから延びる接続線（図示せず）により、制御部Ｘに電気的に接続されている。
【００５０】
図６に示すように、筺体Ｅは、略直方体状であり有底筒状の筺体本体Ｅ１と、筺体本体Ｅ１を上方から覆う蓋体Ｅ２と、により構成されている。
また、筺体本体Ｅ１の内壁には、加熱ヒータ部Ｈ１及びＨ２の温度制御やポンプ部Ｐの動作制御を行う制御部Ｘが設けられている。
なお、制御部Ｘの位置はこれに限定されず、筺体Ｅの外部に設けても良い。
【００５１】
蓄熱器１が有する加熱ヒータ部Ｈ１は、その一端が、容器本体ＣＭ１及び蓋体ＣＭ２に設けられた挿通孔ｐに挿通され、制御部Ｘに電気的に接続されている。
貯水器２が有する加熱ヒータ部Ｈ２は、その一端が、容器本体ＣＷ１及び蓋体ＣＷ２に設けられた挿通孔ｐに挿通され、制御部Ｘに電気的に接続されている。
【００５２】
ここで、温水製造装置Ａの使用者は、温水の温度を制御部Ｘにより予め自由に設定することができ、加熱ヒータ部Ｈ１及びＨ２は、ＯＮの状態となると、この設定された温度まで水Ｗを加熱する。そして、水Ｗが設定された温度に達すると、加熱ヒータ部Ｈ１及びＨ２は、ＯＦＦの状態となる。なお、水Ｗの内部には、設定された温度を検出するための温度検出器（図示せず）が設けられており、制御部Ｘと電気的に接続されている。
【００５３】
第一配管３１は、その一端３１ａが、温水用容器ＣＷ及び筺体本体Ｅ１を貫通することで外部に露出し、その他端３１ｂが、内容器ＣＷ１２に収容された水Ｗ内に配置されている。また、第一配管３１の外部に露出した部分には、バルブＶが設けられている。さらに、第一配管３１の内容器ＣＷ１２の内部に配置された部分には、水Ｗの吸引を行う開口端３１ｃが設けられている。
一端３１ａは、例えば、水道水を供給する水道管等に接続される。
【００５４】
第二配管３２は、その両端３２ａ及び３２ｂが、内容器ＣＷ１２に収容された水Ｗ内に配置されている。
【００５５】
第三配管３３は、その一端３３ａが、筺体本体Ｅ１を貫通することで外部に露出し、その他端３３ｂが、内容器ＣＷ１２に収容された水Ｗ内に配置されている。
【００５６】
温水製造装置Ａの使用者は、温水を製造する場合、制御部Ｘを用いて配管用ポンプ３１Ｐを動作させる。これにより、第一配管３１が、開口端３１ｃから内容器ＣＷ１２に収容された水Ｗを吸引する（矢印ｃ）。
そして、吸引された水Ｗは、内容器ＣＭ１２の内部に配置された第一配管３１を通過する際に、溶解相変化材料ＭＬにより加熱され温水となり、他端３１ｂから内容器ＣＷ１２の内部に吐出され、供給される（矢印ｄ）。
【００５７】
また、使用者は、例えば、温水製造装置Ａの電源を長時間ＯＦＦにしており、相変化材料Ｍ全体が未溶解相変化材料ＭＳの状態となっている場合、ポンプ部Ｐを迅速に動作させるために、制御部Ｘを用いて配管用ポンプ３２Ｐを動作させる。これにより、第二配管３２が、一端３２ａから内容器ＣＷ１２に収容された水Ｗの吸引を行い（矢印ｅ）、第二配管３２の、ポンプ部Ｐの外周を囲うように配置された部分を通過し、他端３２ｂから水Ｗの吐出を行う（矢印ｆ）。
この際、内容器ＣＷ１２に収容された水Ｗが、第一配管３１により温水となっていれば、ポンプ部Ｐの外周を囲うように配置された部分を通過する際に、ポンプ部Ｐ内部の未溶解相変化材料ＭＳを溶解し、ポンプ部Ｐの駆動源を早期に駆動させることができる。
【００５８】
また、使用者は、貯水器２の内部に供給された水Ｗを外部に供給する場合、制御部Ｘを用いて配管用ポンプ３３Ｐを動作させる。これにより、第三配管３３が、加熱され温水となった水Ｗを、他端３３ｂから吸引し（矢印ｇ）、一端３３ａから外部に吐出し、供給する（矢印ｈ）。
【００５９】
また、使用者は、貯水器２の内部に水Ｗを供給する場合、バルブＶを用いて配管３１の流路を開き、制御部Ｘを用いて配管用ポンプ３１Ｐを動作させる。これにより、第一配管３１が、一端３１ａから外部の水Ｗを吸引する（矢印ｉ）。
そして、吸引された水Ｗは、内容器ＣＭ１２の内部に配置された第一配管３１を通過する際に、溶解相変化材料ＭＬにより加熱され温水となり、他端３１ｂから内容器ＣＷ１２の内部に吐出され、供給される（矢印ｄ）。
【００６０】
なお、このように、配管部３による水Ｗの吸引・吐出動作が行われている間にも、使用者は、当然に、制御部Ｘにより、ポンプ部Ｐ及び蓄熱器１が有する加熱ヒータ部Ｈ１を動作させておくことができる。これにより、相変化材料Ｍが未溶解相変化材料ＭＳの状態である場合には、溶解効率が向上し、溶解相変化材料ＭＬの状態である場合には、蓄熱状態が維持されることとなる。
【００６１】
また、相変化材料Ｍが未溶解相変化材料ＭＳの状態である場合、ポンプ部Ｐ及び蓄熱器１が有する加熱ヒータ部Ｈ１を動作させなくても、所定の時間蓄熱状態は維持されるため、配管部３を動作させるのみで、所定の時間、温水を外部に供給することができる。即ち、温水製造装置Ａによれば、温水を外部に供給する際のエネルギー効率が向上する。
【００６２】
本実施形態によれば、吸引口Ｐ２が、相変化材料用容器ＣＭの底面寄りに設けられていることで、吸引口Ｐ２に吸引される、溶解相変化材料ＭＬの分量が多くなり、未溶解相変化材料ＭＳ全体の溶解効率が向上する。
【００６３】
また、ポンプ部Ｐが、吐出口Ｐ３から溶解相変化材料ＭＬを吐出し攪拌することにより、熱交換を行うことが可能となり、未溶解相変化材料ＭＳ全体の溶解効率が向上する。
【００６４】
また、溶解相変化材料ＭＬが、配管部３の外周面に当接していることで、配管部３を通過する水Ｗが、溶解相変化材料ＭＬにより加熱されるため、効率的に温水を製造することが可能となる。
【００６５】
また、相変化材料用容器ＣＭと貯水器２とが、隣接して設けられていることで、相変化材料用容器ＣＭと貯水器２とが、互いに熱交換を行い、貯水器２内部の高い保温性を維持することが可能となる。
【００６６】
また、第二配管３２が、ポンプ部Ｐの外周を囲うように配置されていることで、第二配管３２を通過する温水により、ポンプ部Ｐ内部の未溶解相変化材料ＭＳを溶解させ、ポンプ部Ｐの駆動源を早期に駆動させることができ、ポンプ部Ｐの吸引・吐出動作をスムーズに開始することが可能となる。
【００６７】
なお、上述の実施形態において示した各構成部材の諸形状や寸法等は一例であって、設計要求等に基づき種々変更可能である。
【符号の説明】
【００６８】
Ａ          温水製造装置
１          蓄熱器
ＣＭ        相変化材料用容器
ＣＭ１      容器本体
ＣＭ１１    外容器
ＣＭ１２    内容器
ＣＭ２      蓋体
ＲＭ        空間
Ｐ          ポンプ部
Ｐ１        ポンプ本体
Ｐ２        吸引口
Ｐ３        吐出口
Ｐ４        基台
ｚ          取付孔
２          貯水器
ＣＷ        温水用容器
ＣＷ１      容器本体
ＣＷ１１    外容器
ＣＷ１２    内容器
ＣＷ２      蓋体
ＲＷ        空間
Ｈ１、Ｈ２  加熱ヒータ部
ｐ          挿通孔
３          配管部
３１        第一配管
３２        第二配管
３３        第三配管
３１Ｐ、３２Ｐ、３３Ｐ  配管用ポンプ
Ｖ          バルブ
Ｅ          筺体
Ｅ１        筺体本体
Ｅ２        蓋体
Ｘ          制御部
Ｗ          水
Ｍ          相変化材料
ＭＳ      未溶解相変化材料
ＭＬ      溶解相変化材料
【図１】
2020056534.tif 000003
【図２】
2020056534.tif 000004
【図３】
2020056534.tif 000005
【図４】
2020056534.tif 000006
【図５】
2020056534.tif 000007
【図６】
2020056534.tif 000008